(57)【要約】【課題】簡易な加工によって包装箱内でのポンプボトルの移動及び回転を抑制し、かつ、加工による抜きカスが生じない包装箱を提供する。【解決手段】吐出ノズル５を有するポンプ部３をボトル本体２の上部に装着したポンプボトル１を収容するための包装箱１０であって、上面部１４のポンプボトル１の出し入れ口１４ａに、対向する第１サイドフラップ２１及び第２サイドフラップ２２を備え、第１サイドフラップ２１は、フラップ先端側領域２１ａの一部が折曲線１７を介して包装箱内部に折曲げられ、フラップ先端側領域２１ａの残部が固定突起２１ｂとなり、折曲げられたフラップ先端側領域２１ａの一部は、吐出ノズル５が挿入されることでポンプボトル１の移動及び回転を抑制する穴２１ｄを構成し、固定突起２１ｂは、第２サイドフラップ２２の上面側に重ね合わされ、第１サイドフラップ２１及び第２サイドフラップ２２を固定する包装箱。【選択図】図１
2018104078.tif 000002
【特許請求の範囲】
【請求項１】
吐出ノズルを有するポンプ部をボトル本体の上部に装着したポンプボトルを収容するための包装箱であって、
上面部の該ポンプボトルの出し入れ口に、対向する第１サイドフラップ及び第２サイドフラップを備え、
該第１サイドフラップは、フラップ先端側領域の一部が折曲線を介して包装箱内部に折曲げられ、フラップ先端側領域の残部が固定突起となり、
折曲げられた該フラップ先端側領域の一部は、該吐出ノズルが挿入されることで該ポンプボトルの移動及び回転を抑制する穴を構成し、
該固定突起は、該第２サイドフラップの上面側に重ね合わされ、該第１サイドフラップ及び該第２サイドフラップを固定する、包装箱。
【請求項２】
前記第２サイドフラップは、固定切り込み線を有し、該固定切り込み線に前記固定突起を挿入することで、前記第１サイドフラップ及び前記第２サイドフラップを固定する請求項１に記載の包装箱。
【請求項３】
前記穴の下端部は、前記ポンプボトルを収容した際に、前記吐出ノズルと接する請求項１又は２に記載の包装箱。
【請求項４】
前記第１サイドフラップのフラップ先端側領域に、ポンプロック機構用溝が設けられている請求項１〜３のいずれか１項に記載の包装箱。
【発明の詳細な説明】
【技術分野】
【０００１】
本発明は、包装箱に関し、特に、吐出ノズルを有するポンプ部をボトル本体の上部に装着したポンプボトルを収容するための包装箱に関する。
【背景技術】
【０００２】
近年では、シャンプー、リンス及びボディーソープ等のトイレタリー製品に加えて、クレンジング剤、乳液及び化粧水等をポンプボトルに収容した商品が提供されている。液体状の製品を充填収容したポンプボトルは、包装箱に収容した商品形態で提供されることがある。
ポンプボトルを包装箱に収容した商品形態において、単にポンプボトルを包装箱に収容しただけでは、搬送中及び取扱い時に包装箱内で揺り動かされ、ポンプボトル又は包装箱に傷が生じ、商品価値が著しく損なわれることがある。そして、包装箱に収容するポンプボトルが略円筒状の商品である場合は、搬送中及び取扱い時に包装箱内で回転することで、ポンプボトル又は包装箱に傷が生じ、商品価値が著しく損なわれることがある。
また、包装箱内でポンプボトルが揺り動かされたり、回転したりした場合は、包装箱の正面に対してそのポンプボトルの正面がずれてしまうことがあり、商品陳列上見栄えが悪くなることもあった。
【０００３】
そこで、包装箱内でのポンプボトルの移動を抑制するために、包装箱上面の出し入れ口にあるフラップに、ポンプボトルの向きを規制する切り欠きを有する規制片を備えることによって、ポンプボトルの回転を規制する方法が提示されている（例えば、特許文献１参照）。
また、包装箱内でのポンプボトルの移動を抑制するために、包装箱上面の出し入れ口にあるフラップに、吐出ノズルが嵌る孔、溝孔、溝を設けることにより、自動装填が可能でかつ吐出ノズルの回転をほぼ防ぐことができる方法が提示されている（例えば、特許文献２参照）。
【０００４】
しかし、特許文献１、２での提案では、包装箱のフラップの加工が複雑であり、かつ、包装箱のフラップを加工した際に、抜きカスが生じる問題がある。
【先行技術文献】
【特許文献】
【０００５】
【特許文献１】特開２００３−９５２５０号公報
【特許文献２】特開２００９−２４１９８８号公報
【発明の概要】
【発明が解決しようとする課題】
【０００６】
本発明は、上記問題に鑑みて工夫されたもので、簡易な加工によって包装箱内でのポンプボトルの移動及び回転を抑制し、かつ、加工による抜きカスが生じない包装箱を提供することを課題とする。
【課題を解決するための手段】
【０００７】
本発明は、吐出ノズルを有するポンプ部をボトル本体の上部に装着したポンプボトルを収容するための包装箱であって、上面部の該ポンプボトルの出し入れ口に、対向する第１サイドフラップ及び第２サイドフラップを備え、該第１サイドフラップは、フラップ先端側領域の一部が折曲線を介して包装箱内部に折曲げられ、フラップ先端側領域の残部が固定突起となり、折曲げられた該フラップ先端側領域の一部は、該吐出ノズルが挿入されることで該ポンプボトルの移動及び回転を抑制する穴を構成し、該固定突起は、該第２サイドフラップの上面側に重ね合わされ、該第１サイドフラップ及び該第２サイドフラップを固定する、包装箱を提供することにより、上記目的を達成したものである。
【発明の効果】
【０００８】
本発明により、簡易な加工によって包装箱内でのポンプボトルの移動及び回転を抑制し、かつ、加工による抜きカスが生じない包装箱を提供することができる。
【図面の簡単な説明】
【０００９】
【図１】第１の実施の形態に係る包装箱の模式的外観図である。
【図２】第１の実施の形態に係る包装箱を形成するためのブランクの展開図である。
【図３】ポンプボトルの模式的平面図である。
【図４】第１の実施の形態に係る包装箱の第１サイドフラップ及び第２サイドフラップの具体的な閉蓋方法（その１）である。
【図５】第１の実施の形態に係る包装箱の第１サイドフラップ及び第２サイドフラップの具体的な閉蓋方法（その２）である。
【図６】第１の実施の形態に係る包装箱の第１サイドフラップ及び第２サイドフラップの具体的な閉蓋方法（その３）である。
【図７】第２の実施の形態に係る包装箱を形成するためのブランクの展開図である。
【図８】第２の実施の形態に係る包装箱の第１サイドフラップ及び第２サイドフラップの具体的な閉蓋方法（その１）である。
【図９】第２の実施の形態に係る包装箱の第１サイドフラップ及び第２サイドフラップの具体的な閉蓋方法（その２）である。
【図１０】第２の実施の形態に係る包装箱の第１サイドフラップ及び第２サイドフラップの具体的な閉蓋方法（その３）である。
【図１１】第３の実施の形態に係る包装箱を形成するためのブランクの展開図である。
【図１２】第３の実施の形態に係る包装箱の第１サイドフラップ及び第２サイドフラップの具体的な閉蓋方法（その１）である。
【図１３】第３の実施の形態に係る包装箱の第１サイドフラップ及び第２サイドフラップの具体的な閉蓋方法（その２）である。
【図１４】第３の実施の形態に係る包装箱の第１サイドフラップ及び第２サイドフラップの具体的な閉蓋方法（その３）である。
【図１５】第４の実施の形態に係る包装箱を形成するためのブランクの展開図である。
【図１６】第４の実施の形態に係る包装箱の第１サイドフラップ及び第２サイドフラップの具体的な閉蓋方法（その１）である。
【図１７】第４の実施の形態に係る包装箱の第１サイドフラップ及び第２サイドフラップの具体的な閉蓋方法（その２）である。
【発明を実施するための形態】
【００１０】
（第１の実施の形態）
本発明の第１の実施の形態に係る包装箱１０は、図１に示すように、吐出ノズル５を有するポンプ部３をボトル本体２の上部に装着したポンプボトル１を収容するための包装箱１０であって、上面部１４のポンプボトル１の出し入れ口１４ａに、対向する第１サイドフラップ２１及び第２サイドフラップ２２を備え、第１サイドフラップ２１は、フラップ先端側領域２１ａの一部が折曲線１７を介して包装箱内部に折曲げられ、フラップ先端側領域２１ａの残部が固定突起２１ｂとなり、折曲げられたフラップ先端側領域２１ａの一部は、吐出ノズル５が挿入されることでポンプボトル１の移動及び回転を抑制する穴２１ｄを構成し、固定突起２１ｂは、第２サイドフラップ２２の上面側に重ね合わされ、第１サイドフラップ２１及び第２サイドフラップ２２を固定する。
【００１１】
本実施形態の包装箱１０は、前後一対の第１正面板１１ａ及び第２正面板１１ｂと、左右一対の第１側面板１２ａ及び第２側面板１２ｂとからなる筒状本体１３の下端部の開口を、下面メインフラップ２８（図２参照）等によって形成される下面部１５によって閉蓋してから、筒状本体１３の内部にポンプボトル１を、筒状本体１３の上面部１４の出し入れ口１４ａを介して収容する。しかる後に、筒状本体１３の上面部１４の出し入れ口１４ａを、上面メインフラップ２３（図３参照）等によって形成される上面部１４によって閉蓋することによって、内部に物品を収容した中空の六面体形状に組み立てられる。
【００１２】
本実施形態の包装箱１０は、図２に示すような、例えば、一枚の紙製又は樹脂製のブランク３０を用いて形成される。ブランク３０は、六面体形状の包装箱１０を展開した所定の形状となるように、例えば、薄板状の紙製又は樹脂製のシート材料を打ち抜いて裁断することで容易に得ることができる。ブランク３０は、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備える。
【００１３】
また、ブランク３０には、例えば、罫線等からなる折曲線１６ａ〜１６ｈ及び縦方向折曲線２４、並びに全切れ線等からなる切込み２１ｃが、適宜の位置に設けられていることで、ブランク３０から包装箱１０を、六面体形状となるように容易に組み立てることができる。
【００１４】
本実施形態では、裁断された図２に示すブランク３０において、展開図の左側には、例えば、矩形の第２側面板１２ｂが配置されている。第２側面板１２ｂの右側には、縦方向折曲線２４を介して、矩形の第１正面板１１ａが連接している。第１正面板１１ａの右側には、縦方向折曲線２４を介して、矩形の第１側面板１２ａが連接している。第１側面板１２ａのさらに右側には、縦方向折曲線２４を介して、矩形の第２正面板１１ｂが連接している。また、第２正面板１１ｂの右側には、縦方向折曲線２４を介して、例えば、第２正面板１１ｂと同様の縦幅を備えると共に、接合可能な横幅を備える接着接合片２７が側方に張り出して連接している。
【００１５】
第１正面板１１ａの上方には、折曲線１６ａを介して、略正方形の上面メインフラップ２３が連接している。上面メインフラップ２３の上方には、折曲線１６ｂを介して、例えば上面メインフラップ２３と同様の横幅を備えると共に、差し込み可能な縦幅を備える差込みフラップ２３ａが上方に張り出して連接している。
上面メインフラップ２３と差込みフラップ２３ａとの間の折曲線１６ｂの中央部分には、差し込んだ差込みフラップ２３ａを容易に引き抜くための引抜きつまみ２３ｂが設けられていることが好ましい。
また、上面メインフラップ２３と差込みフラップ２３ａとの間の折曲線１６ｂの両端部分には、第１サイドフラップ２１と第２サイドフラップ２２の基端部に設けられたロック片４０ｂとの間で公知のロック機構を構成する、ロック用エンボス４０ａが形成されている。
【００１６】
第２正面板１１ｂの下方には、折曲線１６ｇを介して、略正方形の下面メインフラップ２８が連接している。下面メインフラップ２８の下方には、折曲線１６ｈを介して、例えば、下面メインフラップ２８と同様の横幅を備えると共に、差し込み可能な縦幅を備える差込みフラップ２８ａが下方に張り出して連接している。
下面メインフラップ２８と差込みフラップ２８ａとの間の折曲線１６ｈの両端部分には、下面サイドフラップ２５，２６の基端部に設けられたロック片４１ｂとの間で公知のロック機構を構成する、ロック用切込み４１ａが形成されている。
【００１７】
第１側面板１２ａの上方には、折曲線１６ｃを介して、略矩形の形状を備える第１サイドフラップ２１が連接している。第１サイドフラップ２１には、折曲線１７が設けられており、折曲線１７より先端側にフラップ先端側領域２１ａを備える。
折曲線１７の中央部分には、切込み２１ｃが設けられており、折曲線１７で折曲げることで、固定突起２１ｂ及び穴２１ｄが形成される。
第１サイドフラップ２１における折曲線１６ｃから折曲線１７までの長さは、第２サイドフラップ２２の長さと合わせた長さが上面メインフラップ２３の長さの略同長である。折曲線１６ｃから折曲線１７までの長さと第２サイドフラップ２２の長さとを合わせた長さが、上面メインフラップ２３の幅と略同長であることによって、固定突起２１ｂを第２サイドフラップ２２の上面側に重ね合わされ、第１サイドフラップ２１及び第２サイドフラップを固定することができる。
第１サイドフラップ２１の一方の側縁部の基端部には、上面メインフラップ２３に形成されたロック用エンボス４０ａとの間で公知のロック機構を構成するロック片４０ｂが、外側に突出して設けられている。
【００１８】
第１側面板１２ａの下方には、折曲線１６ｅを介して、略矩形の形状を備える下面サイドフラップ２５が連接している。
下面サイドフラップ２５の一方の側縁部の基端部には、下面メインフラップ２８に形成されたロック用切込み４１ａとの間で公知のロック機構を構成するロック片４１ｂが、外側に突出して設けられている。
【００１９】
第２側面板１２ｂの上方には、折曲線１６ｄを介して、略矩形の形状を備える第２サイドフラップ２２が連接している。
第２サイドフラップ２２の一方の側縁部の基端部には、上面メインフラップ２３に形成されたロック用エンボス４０ａとの間で公知のロック機構を構成するロック片４０ｂが、外側に突出して設けられている。
【００２０】
第２側面板１２ｂの下方には、折曲線１６ｆを介して、略矩形の形状を備える下面サイドフラップ２６が連接している。
下面サイドフラップ２６の一方の側縁部の基端部には、下面メインフラップ２８に形成されたロック用切込み４１ａとの間で公知のロック機構を構成するロック片４１ｂが、外側に突出して設けられている。
【００２１】
本実施形態では、包装箱１０は、上述のブランク３０を用いて、好ましくは公知の封緘装置（製箱機）を使用した簡単な工程によって、ポンプボトル１を収容するための立体形状に容易に組み立てることができる。すなわち、例えば、第２正面板１１ｂの右側に連接する接着接合片２７に接着剤を塗着した後に、接着剤を介して接着接合片２７を、第２側面板１２ｂの側縁部に沿った内側面に接合することで、図１に示すように、各縦方向折曲線２４に沿って折り曲げられた前後一対の第１正面板１１ａ及び第２正面板１１ｂと左右一対の第１側面板１２ａ及び第２側面板１２ｂとからなる、矩形中空の断面形状を有する筒状本体１３が形成される。
【００２２】
筒状本体１３を形成したら、これの下端部の開口を、一対の下面サイドフラップ２５，２６と下面メインフラップ２８とを用いて閉蓋する。すなわち、一対の第１側面板１２ａ及び第２側面板１２ｂの下方に各々連接する両側の下面サイドフラップ２５，２５を、折曲線１６ｅ，１６ｆを介して内側に折り曲げると共に、これらの下面サイドフラップ２５，２６の上に下方から折り重ねるようにして、下面メインフラップ２８を、折曲線１６ｇを介して内側に折り曲げる。また下面メインフラップ２８の先端に折曲線１６ｈを介して連接する差込みフラップ２８ａを、第１正面板１１ａの下端部分の内側面に沿って差し込む。これによって、筒状本体１３の下端部の開口を、一対の下面サイドフラップ２５，２６及び下面メインフラップ２８からなる下面部１５で覆って閉蓋する。
【００２３】
筒状本体１３の下端部の開口を閉蓋したら、筒状本体１３の内部にポンプボトル１を収容する。すなわち、本実施形態では、例えば、化粧料等の液体状商品を充填収容した円筒形状の化粧品用のポンプボトル１を、筒状本体１３の上面部１４の出し入れ口１４ａを介して、筒状本体１３の内部に納まるように挿入配置する。
【００２４】
ポンプボトル１は、例えば、図３に示すように、ボトル本体２の上部に吐出ノズル５を備えたポンプ部３を備えている。ポンプ部３は、吐出ノズル５に向けて付勢する昇降体４を備えており、昇降体４の押し下げ動作がボトル本体２の内容物を吐出する。ポンプボトル１の多くは、運搬中における内容物の吐出を防止するため、吐出ノズル４を下ろした状態で昇降体４をロックするポンプロック機構６を備えている。内容物がポンプボトル１へ充填された後は、最初に使用されるまでポンプロック機構６により昇降体４はロックされている。このために、包装箱１０への収納時、輸送時及び保管中は、ポンプロック機構６により昇降体４はロックされている。
ポンプボトル１は、略円筒状のものだけでなく、横断面が真円、楕円及び略矩形等のものであってもよい。
【００２５】
下面部１５を閉蓋した筒状本体１３の内部にポンプボトル１を収容したら、筒状本体１３の上面部１４の出し入れ口１４ａを、対向する第１サイドフラップ２１及び第２サイドフラップ２２と上面メインフラップ２３とを用いて閉蓋する。
【００２６】
以下に、本発明の第１の実施の形態に係る包装箱１０にポンプボトル１を収容する際、及びポンプボトル１を収容した後の第１サイドフラップ２１及び第２サイドフラップ２２の具体的な閉蓋方法を、図４〜図６を参照しながら説明する。
【００２７】
まず、図４に示すように、第１サイドフラップ２１に対して、折曲線１７を介してフラップ先端側領域２１ａの一部を内側に折曲げることで、固定突起２１ｂ及び穴２１ｄが形成される。
次いで、図５に示すように、吐出ノズル５を穴２１ｄに挿入した状態で、ポンプボトル１を包装箱１０へ挿入配置する。この時、フラップ先端側領域２１ａの一部は、包装箱内部に差し込まれた状態になる。フラップ先端側領域２１ａの一部が包装箱内部に差し込まれた状態を維持するために、穴２１ｄの下端部は、包装箱１０にポンプボトル１を収容した際に、吐出ノズル５と接する設計であることが好ましい。
次いで、図６に示すように、第２サイドフラップ２２を閉蓋させる。そして、閉蓋させた第２サイドフラップ２２の上面側に固定突起２１ｂを重ね合わせて一体化し、第１サイドフラップ２１及び第２サイドフラップ２２を固定する。
【００２８】
以上の工程によって、第１サイドフラップ２１及び第２サイドフラップ２２で上面部１４の出し入れ口１４ａを閉蓋することで、ポンプボトル１の吐出ノズル５が第１サイドフラップ２１の穴２１ｄに挿入した状態で包装箱１０に収容されるので、包装箱１０内でのポンプボトル１の移動及び回転を抑制することができ、ポンプボトル１又は包装箱１０に傷が生じるのを防ぐことができる。
そして、本実施形態の包装箱１０は、包装箱１０内でのポンプボトル１の移動及び回転を抑制することができるので、包装箱１０の正面に対してそのポンプボトル１の正面がずれてしまうことがなく、商品陳列上見栄えが悪くなることがない。
【００２９】
また、本実施形態の包装箱１０の第１サイドフラップ２１及び第２サイドフラップ２２は、第２サイドフラップ２２の上面側に固定突起２１ｂを重ね合わせて一体化することで、第１サイドフラップ２１及び第２サイドフラップ２２を固定して、ガタツキを防止することができる。
【００３０】
また、本実施形態の包装箱１０は、上述のように、第１サイドフラップ２１に設けられた切込み２１ｃが、折曲線１７で折曲げることによって、固定突起２１ｂ及び穴２１ｄを形成する。つまり、本実施形態の包装箱１０は、固定突起２１ｂ及び穴２１ｄを形成するために、加工による抜きカスを生じさせないで提供することができる。
【００３１】
（第２の実施の形態）
本発明の第２の実施の形態に係る包装箱１０は、図７に示すように、第１の実施の形態で示した包装箱１０と比して、第２サイドフラップ２２が、固定切り込み線２２ａを有する点が異なる。その他については実質的に同様であるので記載を省略する。
【００３２】
固定切り込み線２２ａは、第１サイドフラップ２１及び第２サイドフラップ２２を閉蓋する際に、固定突起２１ｂを挿入することで、第１サイドフラップ２１及び第２サイドフラップ２２をより強固に固定する。
固定切り込み線２２ａの幅は、固定突起２１ｂを挿入して固定することから、固定突起２１ｂの幅より広いことが好ましく、第１サイドフラップ２１及び第２サイドフラップ２２をより強固に固定する観点からは、固定突起２１ｂの幅と略同一であることがより好ましい。
【００３３】
以下に、本発明の第２の実施の形態に係る包装箱１０にポンプボトル１を収容する際、及びポンプボトル１を収容した後の第１サイドフラップ２１及び第２サイドフラップ２２の具体的な閉蓋方法を、図８〜図１０を参照しながら説明する。
【００３４】
まず、図８に示すように、第１サイドフラップ２１に対して、折曲線１７を介してフラップ先端側領域２１ａの一部を内側に折曲げることで、固定突起２１ｂ及び穴２１ｄが形成する。
次いで、図９に示すように、吐出ノズル５を穴２１ｄに挿入した状態で、ポンプボトル１を包装箱１０へ挿入配置する。このとき、フラップ先端側領域２１ａの一部は、包装箱内部に差し込まれた状態になる。フラップ先端側領域２１ａの一部が包装箱内部に差し込まれた状態を維持するために、穴２１ｄの下端部は、包装箱１０にポンプボトル１を収容した際に、吐出ノズル５と接する設計であることが好ましい。
次いで、図１０に示すように、第２サイドフラップ２２を閉蓋させる。そして、閉蓋させた第２サイドフラップ２２の上面側に固定突起２１ｂを重ね合わせて一体化させると共に、固定突起２１ｂを固定切り込み線２２ａに挿入し、第１サイドフラップ２１及び第２サイドフラップ２２を固定する。
【００３５】
以上の工程によって、第１サイドフラップ２１及び第２サイドフラップ２２で上面部１４の出し入れ口１４ａを閉蓋することで、ポンプボトル１の吐出ノズル５が第１サイドフラップ２１の穴２１ｄに挿入した状態で包装箱１０に収容されるので、包装箱１０内でのポンプボトル１の移動及び回転を抑制することができる。
そして、本実施形態の包装箱１０は、包装箱１０内でのポンプボトル１の移動及び回転を抑制することができるので、包装箱１０の正面に対してそのポンプボトル１の正面がずれてしまうことがなく、商品陳列上見栄えが悪くなることがない。
【００３６】
また、本実施形態の包装箱１０の第１サイドフラップ２１及び第２サイドフラップ２２は、第２サイドフラップ２２の上面側に固定突起２１ｂを重ね合わせて一体化させると共に、固定突起２１ｂを固定切り込み線２２ａに挿入し、第１サイドフラップ２１及び第２サイドフラップ２２を固定することで、第１サイドフラップ２１及び第２サイドフラップ２２をより強固に固定して、ガタツキを防止することができる。
【００３７】
また、本実施形態の包装箱１０は、上述のように、第１サイドフラップ２１に設けられた切込み２１ｃが、折曲線１７で折曲げることによって、固定突起２１ｂ及び穴２１ｄを形成する。つまり、本実施形態の包装箱１０は、固定突起２１ｂ及び穴２１ｄを形成するために、加工による抜きカスを生じさせないで提供することができる。
【００３８】
（第３の実施の形態）
本発明の第３の実施の形態に係る包装箱１０は、図１１に示すように、第１の実施の形態で示した包装箱１０と比して、第１サイドフラップ２１の切込み２１ｃの形状が異なる点が異なる。その他については実質的に同様であるので記載を省略する。
【００３９】
以下に、本発明の第３の実施の形態に係る包装箱１０にポンプボトル１を収容する際、及びポンプボトル１を収容した後の第１サイドフラップ２１及び第２サイドフラップ２２の具体的な閉蓋方法を、図１２〜図１４を参照しながら説明する。
【００４０】
まず、図１２に示すように、第１サイドフラップ２１に対して、折曲線１７を介してフラップ先端側領域２１ａの一部を内側に折曲げることで、固定突起２１ｂ及び穴２１ｄが形成される。このとき、穴２１ｄは、三つ溝を形成する。
次いで、図１３（ａ）に示すように、吐出ノズル５を穴２１ｄに挿入した状態で、ポンプボトル１を包装箱１０へ挿入配置する。このとき、フラップ先端側領域２１ａの一部は、包装箱内部に差し込まれた状態になる。フラップ先端側領域２１ａの一部が包装箱内部に差し込まれた状態を維持するために、穴２１ｄの下端部は、包装箱１０にポンプボトル１を収容した際に、吐出ノズル５と接する設計であることが好ましい。
吐出ノズル５は、図１３（ａ）に示すように、真ん中の溝に挿入配置することが可能であり、図１３（ｂ）に示すように、左右のいずれかの溝に挿入配置することも可能である。本実施形態では、吐出ノズル５を穴２１ｄのいずれかの溝に挿入配置することによって、包装箱１０に対するポンプボトル１の向きを選択することができる。穴２１ｄは、三つ溝に限られず、二つ溝であってもよく、四つ溝以上であってもよい。
次いで、図１４に示すように、第２サイドフラップ２２を閉蓋させる。そして、閉蓋させた第２サイドフラップ２２の上面側に固定突起２１ｂを重ね合わせて一体化し、第１サイドフラップ２１及び第２サイドフラップ２２を固定する。
【００４１】
以上の工程によって、第１サイドフラップ２１及び第２サイドフラップ２２で上面部１４の出し入れ口１４ａを閉蓋することで、ポンプボトル１の吐出ノズル５が第１サイドフラップ２１の穴２１ｄに挿入した状態で包装箱１０に収容されるので、包装箱１０内でのポンプボトル１の移動及び回転を抑制することができ、ポンプボトル１又は包装箱１０に傷が生じるのを防ぐことができる。
そして、本実施形態の包装箱１０は、包装箱１０内でのポンプボトル１の移動及び回転を抑制することができるので、包装箱１０の正面に対してそのポンプボトル１の向きを選択することができ、商品陳列上見栄えが悪くなることがない。
【００４２】
また、本実施形態の包装箱１０の第１サイドフラップ２１及び第２サイドフラップ２２は、第２サイドフラップ２２の上面側に固定突起２１ｂを重ね合わせて一体化することで、第１サイドフラップ２１及び第２サイドフラップ２２を固定して、ガタツキを防止することができる。
【００４３】
また、本実施形態の包装箱１０は、上述のように、第１サイドフラップ２１に設けられた切込み２１ｃが、折曲線１７で折曲げることによって、固定突起２１ｂ及び穴２１ｄを形成する。つまり、本実施形態の包装箱１０は、固定突起２１ｂ及び穴２１ｄを形成するために、加工による抜きカスを生じさせないで提供することができる。
【００４４】
また、本実施形態の包装箱１０は、穴２１ｄにポンプボトル１の向きを選択する機能を付与すると同時に、固定突起２１ｂの形状に意匠性を付与することができる。
【００４５】
（第４の実施の形態）
本発明の第４の実施の形態に係る包装箱１０は、図１５に示すように、第１の実施の形態で示した包装箱１０と比して、第１サイドフラップ２１のフラップ先端側領域２１ａにポンプロック機構用溝５０が設けられている点が異なる。その他については実質的に同様であるので記載を省略する。
【００４６】
以下に、本発明の第４の実施の形態に係る包装箱１０にポンプボトル１を収容する際、及びポンプボトル１を収容した後の第１サイドフラップ２１及び第２サイドフラップ２２の具体的な閉蓋方法を、図１６、図１７を参照しながら説明する。
【００４７】
まず、図１６に示すように、第１サイドフラップ２１に対して、折曲線１７を介してフラップ先端側領域２１ａの一部を内側に折曲げることで、固定突起２１ｂ及び穴２１ｄが形成される。そして、フラップ先端側領域２１ａには、ポンプロック機構用溝５０が設けられている。ポンプロック機構用溝５０は、図１７（ａ）に示すようなポンプロック機構６を挿入固定することが可能な形状となっている。
次いで、図１７（ｂ）に示すように、吐出ノズル５を穴２１ｄに挿入した状態、かつ、ポンプロック機構６をポンプロック機構用溝５０に挿入した状態で、ポンプボトル１を包装箱１０へ挿入配置する。このとき、フラップ先端側領域２１ａの一部は、包装箱内部に差し込まれた状態になる。フラップ先端側領域２１ａの一部が包装箱内部に差し込まれた状態を維持するために、穴２１ｄの下端部は、包装箱１０にポンプボトル１を収容した際に、吐出ノズル５と接する設計であることが好ましい。
次いで、第２サイドフラップ２２を閉蓋させる。そして、閉蓋させた第２サイドフラップ２２の上面側に固定突起２１ｂを重ね合わせて一体化し、第１サイドフラップ２１及び第２サイドフラップ２２を固定する（図６参照）。
【００４８】
以上の工程によって、第１サイドフラップ２１及び第２サイドフラップ２２で上面部１４の出し入れ口１４ａを閉蓋することで、ポンプボトル１の吐出ノズル５が第１サイドフラップ２１の穴２１ｄに挿入した状態で包装箱１０に収容されるので、包装箱１０内でのポンプボトル１の移動及び回転を抑制することができ、ポンプボトル１又は包装箱１０に傷が生じるのを防ぐことができる。
そして、本実施形態の包装箱１０は、包装箱１０内でのポンプボトル１の移動及び回転を、穴２１ｄ及びポンプロック機構用溝５０によって抑制することができるので、包装箱１０の正面に対してそのポンプボトル１の正面がずれてしまうことがなく、商品陳列上見栄えが悪くなることがない。
【００４９】
また、本実施形態の包装箱１０の第１サイドフラップ２１及び第２サイドフラップ２２は、第２サイドフラップ２２の上面側に固定突起２１ｂを重ね合わせて一体化することで、第１サイドフラップ２１及び第２サイドフラップ２２を固定して、ガタツキを防止することができる。
【００５０】
また、本実施形態の包装箱１０は、上述のように、第１サイドフラップ２１に設けられた切込み２１ｃが、折曲線１７で折曲げることによって、固定突起２１ｂ及び穴２１ｄを形成する。つまり、本実施形態の包装箱１０は、固定突起２１ｂ及び穴２１ｄを形成するために、加工による抜きカスを生じさせないで提供することができる。
【００５１】
（その他の実施の形態）
本発明は上記実施形態に限定されることなく種々の変更が可能である。例えば、第１、第２及び第４の実施の形態で示した固定突起２１ｂは、半円形として示したが、矩形、台形、円形、楕円形、多角形等の様々な形状を取り得る。固定突起２１ｂが様々な形状を取ることで、意匠性を高めることができる。
【産業上の利用可能性】
【００５２】
本発明の包装箱は、様々な形状のポンプボトルを収容する包装箱として好適に用いられる。
【符号の説明】
【００５３】
１…ポンプボトル
２…ボトル本体
３…ポンプ部
４…昇降体
５…吐出ノズル
６…ポンプロック機構
１０…包装箱
１１ａ…第１正面板
１１ｂ…第２正面板
１２ａ…第１側面板
１２ｂ…第２側面板
１３…筒状本体
１４…上面部
１４ａ…出し入れ口
１５…下面部
１６ａ〜１６ｈ，１７…折曲線
２１…第１サイドフラップ
２１ａ…フラップ先端側領域
２１ｂ…固定突起
２１ｃ…切込み
２１ｄ…穴
２２…第２サイドフラップ
２２ａ…固定切り込み線
２３…上面メインフラップ
２３ａ…差込みフラップ
２３ｂ…引抜きつまみ
２４…縦方向折曲線
２５，２６…下面サイドフラップ
２７…接着接合片
２８…下面メインフラップ
２８ａ…差込みフラップ
３０…ブランク
４０ａ…ロック用エンボス
４０ｂ…ロック片
４１ａ…ロック用切込み
４１ｂ…ロック片
５０…ポンプロック機構用溝
【図１】
2018104078.tif 000003
【図２】
2018104078.tif 000004
【図３】
2018104078.tif 000005
【図４】
2018104078.tif 000006
【図５】
2018104078.tif 000007
【図６】
2018104078.tif 000008
【図７】
2018104078.tif 000009
【図８】
2018104078.tif 000010
【図９】
2018104078.tif 000011
【図１０】
2018104078.tif 000012
【図１１】
2018104078.tif 000013
【図１２】
2018104078.tif 000014
【図１３】
2018104078.tif 000015
【図１４】
2018104078.tif 000016
【図１５】
2018104078.tif 000017
【図１６】
2018104078.tif 000018
【図１７】
2018104078.tif 000019